(57)【要約】【課題】  モータ負荷を軽減する簡潔の構造とし、錠ユニットと錠受ユニットとに位置ずれが生じても施錠を容易とする電子錠装置を提供すること。【解決手段】  本発明の電子錠装置は、外周にネジ部２５ａが形成されたロック棒２５がモータ２２により回転しながらスライド移動する錠ユニット１０と、ロック棒２５のネジ部２５ａと係合する錠受部３１の外周を予め定めた環状のスプリング３５を介し取付ける錠受ユニット３０とを備えることとした。【選択図】      図１
2005105786.tif 000002
【特許請求の範囲】
【請求項１】
外周にネジ部が形成されたロック棒がモータにより回転しながらスライド移動する錠ユニットと、前記ロック棒の前記ネジ部と係合する錠受部の外周を予め定めたスプリングを介し取付ける錠受ユニットとを備えたことを特徴とする電子錠装置。
【請求項２】
前記ロック棒は、前記ネジ部を覆うキャップに設けられたネジ溝を前記ネジ部が挿通して係合し前記ロック棒の回転によりスライド移動することを特徴とする請求項１に記載の電子錠装置。
【請求項３】
前記錠受部は、予め定めた取付ブラケットに内装され、前記取付ブラケットに対し外周に環状の前記スプリングを設けることを特徴とする請求項１に記載の電子錠装置。
【発明の詳細な説明】
【技術分野】
【０００１】  本発明は、電子錠装置に関し、特に、モータ負荷を軽減する簡潔の構造とし、錠ユニットと錠受ユニットとに位置ずれが生じても施錠を容易とする電子錠装置に関する。
【背景技術】
【０００２】  内側のサッシには錠を外側のサッシには錠受を設け、内側サッシと外側のサッシとの施錠が一般に行われている。この施錠装置に対しさらに強固の施錠を行って防犯効果を高めるために、従来の電子錠装置には、モータにより回転体のピニオンギアを回転させ、ピニオンギアの回転によりロック棒を移動させ、先端部がネジ状の通し穴に着脱自在に係合させ施錠を行うものがある（例えば、特許文献１参照）。【０００３】  しかしながら、この従来の電子錠装置は、モータにより回転体のピニオンギアを回転させ、ピニオンギアの回転によりロック棒を移動させ先端部がネジ状の通し穴に当接したとき、移動力によりロック棒を回転させ通し穴に係合させるため、モータの負荷が大きく出力の大きなモータを必要とする。また、サッシを閉め、ロック棒を移動させ先端部をネジ状の通し穴に当接させるとき、ロック棒と通し穴にわずかの位置ずれが生じても通し穴に係合し難くなるという問題があった。【０００４】
【特許文献１】      実用新案登録第３０９７１９３号公報
【発明の開示】
【発明が解決しようとする課題】
【０００５】  本発明は、このような従来の問題に鑑みてなされたもので、モータ負荷を軽減する簡潔の構造とし、錠ユニットと錠受ユニットとに位置ずれが生じても施錠を容易とする電子錠装置を提供することを目的とする。
【課題を解決するための手段】
【０００６】  本発明の電子錠装置は、外周にネジ部が形成されたロック棒がモータにより回転しながらスライド移動する錠ユニットと、前記ロック棒の前記ネジ部と係合する錠受部の外周を予め定めたスプリングを介し取付ける錠受ユニットとを備えることとした。【０００７】  また、前記ロック棒は、前記ネジ部を覆うキャップに設けられたネジ溝を前記ネジ部が挿通して係合し前記ロック棒の回転によりスライド移動することとした。【０００８】  さらに、前記錠受部は、予め定めた取付ブラケットに内装され、前記取付ブラケットに対し外周に環状の前記スプリングを設けることとした。
【発明の効果】
【０００９】  本発明の電子錠装置は、外周にネジ部が形成されたロック棒がモータにより回転しながらスライド移動する錠ユニットと、前記ロック棒の前記ネジ部と係合する錠受部の外周を予め定めたスプリングを介し取付ける錠受ユニットとを備えることとしたため、モータ負荷を軽減する簡潔の構造とし、錠ユニットと錠受ユニットとに位置ずれが生じても施錠を容易とすることができる。【００１０】  また、前記ロック棒は、前記ネジ部を覆うキャップに設けられたネジ溝を前記ネジ部が挿通して係合し前記ロック棒の回転によりスライド移動することとしたため、ロック棒を回転するとともにスライド移動を容易に行うことができる。【００１１】  さらに、前記錠受部は、予め定めた取付ブラケットに内装され、前記取付ブラケットに対し外周に環状の前記スプリングを設けることとしたため、ロック棒の位置がずれていたとしてもロック棒と錠受部とを的確に係合することができる。
【発明を実施するための最良の形態】
【００１２】  以下、本発明の実施の形態について説明する。
【実施例】
【００１３】  図１は、本発明の実施の形態の電子錠装置がサッシに取付けられたときの一部を破断した平面図を示す。
図１に示すように、本発明の第１の実施の形態の電子錠装置は、内側サッシ５０ａの縦枠５１ａに固定される錠ユニット１０と、外側サッシ５０ｂの縦枠５１ｂに固定される錠受ユニット３０とで構成されている。錠ユニット１０は、ロック棒２５が設けられたロック機構２０が縦枠５１ａに固定される筺体１１に取付けられ、錠受ユニット３０は、固定部３６により縦枠５１ｂに固定される。
内側サッシ５０ａの縦枠５１ａには、内側から錠ユニット１０が固定され、ガラス５３ａがシーリング５４ａにより取付けられている。外側サッシ５０ｂの縦枠５１ｂには、錠ユニット１０の裏側で内側から錠受ユニット３０が固定され、ガラス５３ｂがシーリング５４ｂにより取付けられている。【００１４】  図２は、錠ユニットの正面図と断面図を示し、図２（ａ）は、錠ユニットの正面図を示し、図２（ｂ）は、錠ユニットの縦断面図を示す。
図２（ａ）に示すように、錠ユニット１０は、筺体１１の正面に施錠スイッチ１２と、解錠スイッチ１３ａ、１３ｂが設けられ、施錠は施錠スイッチ１２の押操作により行うことができ、解錠は予め設定された解錠スイッチ１３ａ、１３ｂの押操作により、例えば、解錠スイッチ１３ａを１回度押した後に解錠スイッチ１３ｂを２回押して行うことができる。解錠スイッチ１３ａ、１３ｂの解錠設定は、任意に設定することも、また、施錠スイッチ１２と解錠スイッチ１３ａ、１３ｂの押操作により設定後に変更を行うこともできる。
図２（ｂ）は、図２（ａ）に矢印で示すＡＡの縦断面図であり、内部には、ロック機構２０と、ロック機構２０の制御を行う実装基板１５と、電池カバー１４が開けられ装着される電池１６が取付けられている。【００１５】  図３は、錠ユニットに取付けられるロック機構の側面図を示し、図３（ａ）は、ロック機構の分解図を示し、図３（ｂ）は、ロック機構の一部破断の組立側面図を示す。
図３（ａ）に示すように、ロック機構２０は、モータ２２と、モータ２２と連結した減速器２３とで構成された回転駆動部２１を有し、さらに、ロック棒２５と、ロック棒２５のキャップ２６とを有している。回転駆動部２１には、ネジ部２３ａが形成され、また、Ｄカット部２４ａが形成された回転軸２４が取付けられている。ロック棒２５は、外周にネジ部２５ａが形成され中心には回転軸２４が挿入される穴（図示せず）が明けられ、中心に明けられた穴に回転軸２４が挿入されたとき、固定ネジ２５ｂがＤカット部２４ａに接触するように固定される。そのため、ロック棒２５は、回転軸２４の回転により回転するとともに軸方向にスライド移動可能に回転軸２４に取付けられる。
キャップ２６は、回転駆動部２１のネジ部２３ａに対する固定用のネジ溝２６ａと、ネジ溝２６ａと連通し、ロック棒２５が挿通して係合するネジ溝２６ｂが内側に形成されている。
図３（ｂ）に示すように、ロック機構２０は、回転駆動部２１とキャップ２６とが、回転駆動部２１に形成されたとネジ部２３ａにネジ溝２６ａが螺合して固定されている。ロック棒２５は、中心に明けられた穴に回転軸２４が挿入され、固定ネジ２５ｂが図３に示すＤカット部２４ａに接触するように固定され、また、ロック棒２５は、ネジ部２５ａがキャップ２６のネジ溝２６ｂに係合し、キャップ２６に回転可能に取付けられている。そのため、ロック棒２５は、回転軸２４の回転により回転するとともに軸方向にスライド移動可能に回転軸２４に取付けられている。【００１６】  図４は、錠受ユニットの断面図を示す。
図４に示すように、錠受ユニット３０は、固定部３６に取付ブラケット３４が固定され、取付ブラケット３４の内側には錠受３１がフローテング構造で内装されている。錠受３１は、回転阻止部３２が取付ブラケット３４に設けられた穴に挿入され回転が阻止されている。また、錠受３１は、内側にロック棒２５と係合するネジ溝３１ａが形成され、外周には係止リング３３が固定されている。ネジ溝３１ａの入口側には外周がテーパ形状の受口３１ｂが形成されている。取付ブラケット３４は、中心で２個割にされた第１取付ブラケット３４ａと第２取付ブラケット３４ｂとで形成され、錠受３１が取付けられる内側には係止リング３３が挿入されるリング溝３４ｃが形成され、リング溝３４ｃには係止リング３３の外側に環状のスプリング３５が装着さる。錠受３１は、第１取付ブラケット３４ａと第２取付ブラケット３４ｂとが離された状態で環状のスプリング３５が装着されたリング溝３４ｃに係止リング３３が挿入され、第１取付ブラケット３４ａと第２取付ブラケット３４ｂとが接合され、取付ブラケット３４にフローテング構造で内装される。
そのため、ロック棒２５が、回転しながらスライド移動してきたとき、ロック棒２５のネジ部２５ａと錠受３１のネジ溝３１ａとは係合し、図１に示す錠ユニット１０は、錠受ユニット３０に固定される。錠受３１は、フローテング構造で取付ブラケット３４に内装されているため、ロック棒２５がスライド移動する側で外周方向に移動可能であり、ロック棒２５の位置がずれていたとしてもロック棒２５のネジ部２５ａと錠受３１のネジ溝３１ａとは容易に係合することができる。【００１７】  図５は、錠受ユニットに装着される環状スプリングの正面図を示す。
図５に示すように、環状のスプリング３５は、連続した波形で環状に形成されているため、図４に示すようにリング溝３４ｃに装着されたとき係止リング３３の全周方向に亘り当接し、錠受３１は、フローテング構造で取付ブラケット３４に取付けることができる。【００１８】  次に、本発明の第１の実施の形態の電子錠装置の動作につき説明する。
施錠を行うときには、図２に示す施錠スイッチ１２の押操作を行うと、ロック機構２０のモータ２２が正転し減速器２３を介し回転軸２４が正回転し、回転軸２４の正回転により、ロック棒２５は正回転するとともに軸方向の外側に向けスライド移動する。
ロック棒２５が、回転しながら軸方向にスライド移動したとき、ロック棒２５のネジ部２５ａと錠受３１のネジ溝３１ａとは係合し、錠ユニット１０は、錠受ユニット３０に固定され施錠が行われる。錠受３１は、フローテング構造で取付ブラケット３４に内装されているため、内側サッシ５０ａと外側サッシ５０ｂの位置がずれ、錠ユニットと錠受ユニットとに位置ずれが生じたとしてもロック棒２５のネジ部２５ａと錠受３１のネジ溝３１ａとは容易に係合し施錠を行うことができる。
解錠を行うときには、前記したように解錠スイッチ１３ａ、１３ｂの押操作を行うと、ロック機構２０のモータ２２が逆回転し減速器２３を介し回転軸２４が逆回転し、回転軸２４の逆回転により、ロック棒２５は逆回転するとともに施錠時とは逆の方向に向けスライド移動する。そのため、ロック棒２５の逆回転により、ロック棒２５のネジ部２５ａは錠受３１のネジ溝３１ａから離れ、錠ユニット１０の解錠が行われる。【００１９】  以上述べたように、本発明の実施の形態の電子錠装置は、モータによりロック棒２５を減速器２３を介し直接回転させながらスライド移動し、ロック棒２５のネジ部２５ａと錠受３１のネジ溝３１ａと容易に係合し施錠を行うため、モータ負荷を軽減する簡潔の構造とし、また、施錠を行うときにロック棒と通し穴に位置ずれが生じても通し穴への係合を容易とすることができ、内側サッシ５０ａと外側サッシ５０ｂとを引戸方向と外側方向に強固に固定することができる。【００２０】  なお、錠受ユニット３０は、ロック棒２５が回転しながらスライド移動してきたとき、ロック棒２５のネジ部２５ａと錠受３１のネジ溝３１ａとを係合させることとしたが、これに限定されることなく、錠受３１のネジ溝３１ａは、少なくとも１個の突部をネジ溝３１ａに代わって設けるようにすることもできる。
また、本発明の実施の形態の電子錠装置は、引違いサッシに取付けた例につき説明したが、外側に開閉する窓枠などに取付けるようにすることもできる。
さらに、本発明の実施の形態の電子錠装置は、サッシの施錠に限定されることなく、ドアのロックノブの固定にも使用することができる。
【図面の簡単な説明】
【００２１】
【図１】  本発明の実施の形態の電子錠装置がサッシに取付けられたときの一部を破断した平面図を示す。
【図２】  錠ユニットの正面図と断面図を示す。
【図２ａ】  錠ユニットの正面図を示す。
【図２ｂ】  錠ユニットの縦断面図を示す。
【図３】  錠ユニットに取付けられるロック機構の側面図を示す。
【図３ａ】  ロック機構の分解図を示す。
【図３ｂ】  ロック機構の一部破断の組立側面図を示す。
【図４】  錠受ユニットの断面図を示す。
【図５】  錠受ユニットに装着される環状スプリングの正面図を示す。
【符号の説明】
【００２２】１０  錠ユニット
１１  筺体
２０  ロック機構
２１  回転駆動部
２２  モータ
２３  減速器
２４  回転軸
２５  ロック棒
２６  キャップ
２６ａ、２６ｂ、３１ａ  ネジ溝
３０  錠受ユニット
３１  錠受
３２  回転阻止部
３３  係止リング
３４  取付ブラケット
３４ａ  第１取付ブラケット
３４ｂ  第２取付ブラケット
３５  環状のスプリング
３６  固定部
【図１】
2005105786.tif 000003
【図２】
2005105786.tif 000004
【図３】
2005105786.tif 000005
【図４】
2005105786.tif 000006
【図５】
2005105786.tif 000007